(57)【要約】【課題】電極の円筒部の周面に発生したアークの遮断性を向上させるとともに、アークスポットを早期に消滅させて真空バルブを構成する部材に熱的影響を与えない真空バルブ用接点を提供する。【解決手段】円筒部１２を有する電極１０と、円筒部の一端側開口部を閉塞する接点板１１と備えた真空バルブ用接点７である。円筒部の周面に、軸方向に対して傾斜する電極スリット１４が周方向に離間して複数本形成されている。円筒部の隣接する２つの電極スリット間の外周面には、接点板に発生したアークスポットが流れ込み、前記アークスポットを消滅させる電極溝１５が形成されている。【選択図】図２
2019079705.tif 000002
【特許請求の範囲】
【請求項１】
円筒部を有する電極と、円筒部の一端側開口部を閉塞する接点板とを、備え、
前記円筒部の周面に、軸方向に対して傾斜する電極スリットが周方向に離間して複数本形成されているとともに、前記円筒部の隣接する２つの前記電極スリット間の外周面に、前記接点板に発生したアークスポットが流れ込み、前記アークスポットを消滅させる電極溝が形成されていることを特徴とする真空バルブ用接点。
【請求項２】
前記電極溝は、前記円筒部の周方向に直線状に延在していることを特徴とする請求項１記載の真空バルブ用接点。
【請求項３】
前記電極溝は、前記円筒部の前記外周面に方形状の凹部として形成されていることを特徴とする請求項１又は２に記載の真空バルブ用接点。
【請求項４】
前記電極溝は、前記円筒部の前記外周面に三角形状の凹部として形成されているとともに、前記電極溝の前記接点板に寄っている側の溝開口縁部は、鈍角の角部で形成されていることを特徴とする請求項１又は２に記載の真空バルブ用接点。
【請求項５】
前記電極溝は、前記円筒部の前記外周面に凹部として形成され、且つ、前記接点板に寄っている側の溝開口縁部が、丸みを付けて外側に突出する形状に形成されていることを特徴とする請求項１又は２に記載の真空バルブ用接点。
【請求項６】
請求項１から請求項５の何れか１項に記載の真空バルブ用接点を、真空容器内に、互いに接離自在な一対の接点部として搭載したことを特徴とする真空バルブ。
【発明の詳細な説明】
【技術分野】
【０００１】
本発明は、真空バルブ用接点及びそれを用いた真空バルブに関する。
【背景技術】
【０００２】
真空遮断器は受配電系統に配置される機器であり、特定箇所を電力系統から切り離す役割を果たし、特に、事故電流が発生した際には電流を遮断して電力系統を保護する責務を負う。
真空遮断器の真空容器内には一対の接点を接離することで、通常時は電流を通電し、事故電流発生時は電流遮断する真空バルブが設けられている。
真空バルブは、真空容器内部に、固定側接点及び可動側接点と、可動側接点に連結されている可動側通電軸を可動自在に支持し、真空容器内の密閉性を確保するベローズと、を備えている。
【０００３】
固定側接点及び可動側接点は、カップ形状の電極と、電極の開口部を閉塞する円板形状の接点板と、を備えている。そして、カップ形状の電極の円筒部に軸方向に対して傾斜するスリットを複数設け、固定側接点及び可動側接点の接点板間に電極軸方向の磁界（以下、縦磁界という）を印加することで、電流遮断性能を向上させる縦磁界方式が採用されている。
縦磁界方式の真空バルブ用接点を備えた真空バルブとして、特許文献１の装置が知られている。この特許文献１の真空バルブは、電流遮断時に発生したアークが縦磁界によって拡散されることで、電極端部に位置する接点表面の熱が拡散されるため、アークを形成する金属蒸気の供給が制限されて電流遮断を達成する。
【先行技術文献】
【特許文献】
【０００４】
【特許文献１】特許第６１３８６０１号公報
【発明の概要】
【発明が解決しようとする課題】
【０００５】
ところで、上述した特許文献１の真空バルブは、電流遮断時に発生した金属蒸気、その他のプラズマ粒子、一対の接点部間で発生したアークスポットが、接点板の軸中心から接点板の外周端部へ拡散した後、電極の円筒部から固定側電極及び可動側通電軸に移動していく。
可動側電極軸に移動したアークスポットがベローズに移動すると、ベローズが損傷して真空容器内の密閉性が損なわれるおそれがある。
そこで、本発明は、電極の円筒部の周面を移動するアークスポットを早期に消滅させて真空バルブの気密性部材に熱的影響を与えない真空バルブ用接点を提供するとともに、アークの遮断性を向上させた真空バルブを提供することを目的としている。
【課題を解決するための手段】
【０００６】
上記目的を達成するために、本発明の一態様に係る真空バルブ用接点は、円筒部を有する電極と、円筒部の一端側開口部を閉塞する接点板とを、備えている。円筒部の隣接する２つの電極スリット間の外周面には、接点板に発生したアークスポットが流れ込み、アークスポットを消滅させる電極溝が形成されている。
また、本発明の一態様に係る真空バルブは、真空容器内に、上述した真空バルブ用接点を、接離自在な一対の接点部として搭載した装置である。
【発明の効果】
【０００７】
本発明に係る真空バルブ用接点によれば、電極の円筒部の周面を移動するアークスポットを早期に消滅させて真空バルブの気密性部材に熱的影響を与えることがない。
また、本発明に係る真空バルブは、電流遮断時に発生するアークの遮断性を向上させることができる。
【図面の簡単な説明】
【０００８】
【図１】真空バルブの構成を示す図である。
【図２】本発明に係る第１実施形態の可動側接点部の構成を示す図である。
【図３】本発明に係る第１実施形態の可動側接点部を構成する電極の構成を示す斜視図である。
【図４】本発明に係る第１実施形態の可動側接点部を平面視で示した図である。
【図５】本発明に係る第１実施形態の隣接する２つの電極スリットの間に形成した電極溝の断面形状を示す図であり、図５（ａ）は、電極溝にアークスポットが流れ込む直前の状態、図５（ｂ）は、電極溝にアークスポットが流れ込んでアークが溝開口縁部に接触している状態を示す図である。
【図６】本発明に係る第２実施形態の隣接する２つの電極スリットの間に形成した電極溝の断面形状を示す図であり、図６（ａ）は、電極溝にアークスポットが流れ込む直前の状態、図６（ｂ）は、電極溝にアークスポットが流れ込んでアークが溝開口縁部に接触している状態を示す図である。
【図７】本発明に係る第３実施形態の隣接する２つの電極スリットの間に形成した電極溝の断面形状を示す図であり、図７（ａ）は、電極溝にアークスポットが流れ込む直前の状態、図７（ｂ）は、電極溝にアークスポットが流れ込んでアークが溝開口縁部に接触している状態を示す図である。
【図８】本発明に係る第４実施形態の隣接する２つの電極スリットの間に形成した電極溝の断面形状を示す図であり、図８（ａ）は、電極溝にアークスポットが流れ込む直前の状態、図８（ｂ）は、電極溝にアークスポットが流れ込んでアークが溝開口縁部に接触している状態を示す図である。
【発明を実施するための形態】
【０００９】
次に、図面を参照して、本発明の第１〜第４実施形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。また、図面相互間においても互いの寸法の関係や比率が異なる部分が含まれていることはもちろんである。
また、以下に示す第１〜第４実施形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【００１０】
［第１実施形態の真空バルブ］
図１は、真空バルブ１の概要を示すものである。
真空バルブ１は、筒状の真空絶縁容器２の一方端に固定側封着金具３、他方端に可動側封着金具４が封着されている。固定側封着金具３には、固定側通電軸５が貫通して固定され、真空絶縁容器２内の固定側通電軸５の端部に固定側接点部６が設けられている。
また、固定側接点部６に対向して接離自在とした可動側接点部７は、可動側封着金具４を移動自在に貫通する可動側通電軸８の端部に設けられている。
また、可動側接点部７には、可動封着金具４に連結されて可動側通電軸８を可動自在に支持し、真空絶縁容器２の密閉性を確保するベローズ９が設けられている。
可動側接点部７は、図２に示すように、真空絶縁容器２内の可動側通電軸８の端部に固定されているカップ形状の電極１０と、電極１０の開口部を閉塞して固定した接点板１１と、を備えている。
【００１１】
電極１０は、図３に示すように、円筒部１２と、円筒部１２の軸方向一端に形成された底部１３と、備えた部材である。
電極１０の円筒部１２には、軸方向に対して斜めに横切る複数の電極スリット１４が周方向に所定間隔をあけて形成されている。また、周方向に隣接している一対の電極スリット１４の間には、円筒部１２の外周のみに形成されて周方向に延在する電極溝１５が形成されている。この電極溝１５は、後述するように、接点板１１に発生したアークスポットが流れ込み、アークスポットを消滅させることができる。
可動側接点部７の接点板１１は、図４に示すように、円板形状の部材に、放射状に複数の接点スリット１６が形成されている。そして、図２で示すように、各接点スリット１６の外周側の開口部と、各電極スリット１４の上端開口部を対向させた状態で、接点板１１が、電極１０の開口部を閉塞した状態で固定されている。
【００１２】
電極溝１５は、図３に示すように、周方向に隣接している一対の電極スリット１４の間を直線状に延在して電極スリット１４の内壁で開口しており、図５（ａ）に示すように、円筒部１２の外周面を方形状（正方形や長方形）の凹部として形成した溝である。この電極溝１５の溝開口縁部１５ａ，１５ｂは直角の角部として形成されている。
また、固定側通電軸５の端部に設けられている固定側接点部６も、可動側接点部７と同一構造である。
なお、本発明に記載されている真空バルブ用接点が、固定側接点部６及び可動側接点部７に対応し、本発明に記載されている真空容器が、筒状の真空絶縁容器２、固定側封着金具３及び可動側封着金具４に対応している。
【００１３】
次に、第１実施形態の真空バルブ１の動作について説明する。
電流遮断時に、固定側接点部６及び可動側接点部７の間でアーク（図５（ａ）で示す符号１８）が発生すると、固定側接点部６及び可動側接点部７のカップ形状の電極１０の円筒部１２には、軸方向に対して斜めに横切る複数の電極スリット１４が形成されているので、円筒部１２に円周方向の電流が流れる。これにより、固定側接点部６及び可動側接点部７の接点板１１の間で発生したアーク１８に平行な磁界（縦磁界）が加わる。このように、アークに縦磁界が加わると、アーク１８が拡散、安定し、固定側接点部６及び可動側接点部７の接点板１１間のアーク電圧が低減されていく。
【００１４】
ここで、固定側接点部６及び可動側接点部７の接点板１１の中央位置で発生したアークスポット１７は、接点板１１の外周へ拡散した後、円筒部１２の外周面に沿って移動していく。
すなわち、図２に示すように、可動側接点部７の接点板１１で発生したアークスポット１７は、円筒部１２の外周面に沿って矢印Ｃ方向で示す可動側通電軸８側に移動していく。
図５（ａ）に示すように、アークスポット１７が円筒部１２の周方向に延在している電極溝１５に流れ込む直前のアーク１８は、アーク電圧が維持されている。
そして、図５（ｂ）に示すように、アークスポット１７が電極溝１５に流れ込み、アーク１８が溝開口縁部１５ａに接触すると、アークスポット１７と溝開口縁部１５ａとの間が同電位となるので、アーク１８はアーク電圧を維持できずに消滅する。
【００１５】
また、アークスポット１７が電極スリット１４の内部に流れ込んで電極スリット１４の内壁に接触し、アークが電極スリット１４のスリット縁部に接触した場合にも、アークスポット１７と電極スリット１４のスリット縁部との間が同電位となるので、アーク１８はアーク電圧を維持できずに消滅する。
また、固定側接点部６の接点板１１で発生したアークスポット１７も、同様な動作でアーク電圧を維持できずに消滅していく。
このように、固定側接点部６及び可動側接点部７の接点板１１で発生したアークスポット１７は電極１０の円筒部１２で消滅するので、アークスポット１７は、可動側通電軸８を可動自在に支持しているベローズ９に対して熱的影響を与えない。
【００１６】
次に、第１実施形態の真空バルブ１の効果について説明する。
第１実施形態の真空バルブ１によると、電流遮断時に、固定側接点部６及び可動側接点部７の間でアーク１８が発生すると、複数の電極スリット１４が形成されている固定側接点部６及び可動側接点部７の電極１０の円筒部１２に円周方向の電流が流れることで、固定側接点部６及び可動側接点部７に発生したアーク１８に縦磁界が加わる。これにより、アーク１８は拡散され、固定側接点部６及び可動側接点部７の接点板１１間のアーク電圧が低減されていくので、アーク１８の遮断性を向上させることができる。
【００１７】
同時に、固定側接点部６及び可動側接点部７の接点板１１の中央位置で発生したアークスポット１７が、接点板１１の外周へ拡散した後、円筒部１２の外周面に沿って移動し、周方向に隣接している一対の電極スリット１４の間で周方向に延在している電極溝１５に流れ込む。そして、アーク１８が溝開口縁部１５ａに接触すると、アークスポット１７と溝開口縁部１５ａとの間が同電位となるので、アーク１８はアーク電圧を維持できず消滅する。
【００１８】
したがって、アークスポット１７を早期に消滅させることで、ベローズ９に熱的影響を与えることがなく、真空絶縁容器２内の気密性が損なわれない。そして、ベローズ９の損傷を防止するためにベローズ９と可動側接点部７との間にベローズカバーなどを設ける必要がないので、真空バルブ１の部品コストの低減化と、部品点数の減少化を図ることができる。
また、電極１０の円筒部１２に形成した電極溝１５は、直線状に延在して方形状（正方形や長方形）の凹部として形成した単純な構造の溝なので、電極１０の製造コストの低減化を図ることができる。
【００１９】
［第２〜第４の実施形態の電極溝］
次に、図６から図８は、電極１０の円筒部１２の外周に形成された第２〜第４実施形態の電極溝である。
図６（ａ）に示す第２実施形態の電極溝２０は、円筒部１２の外周面を直角三角形状の凹部として形成した溝であり、アークスポット１７が流れ込む側の溝開口縁部２０ａが鈍角の角部で形成されている。
この第２実施形態の電極溝２０は、第１実施形態の電極溝１５と同様に、周方向に隣接している一対の電極スリット１４の間を直線状に延在して電極スリット１４の内壁で開口している。
【００２０】
ここで、図５（ａ）で示した第１実施形態の電極溝１５は、アークスポット１７が流れ込む側の溝開口縁部１５ａが直角の角度で形成されているので電界が集中しやすい。しかし、図６（ａ）で示している第２実施形態の電極溝２０の溝開口縁部２０ａは、鈍角の角部で形成されているので電界集中が緩和される。これにより、電極溝２０にアークスポット１７がすぐに流れ込みやすくなる。
そして、図６（ｂ）に示すように、アークスポット１７が電極溝２０に流れ込み、アーク１８が溝開口縁部２０ａに接触すると、アークスポット１７と溝開口縁部２０ａとの間が同電位となるので、アーク１８はアーク電圧を維持できずに消滅する。
【００２１】
なお、本発明に記載されている接点板に寄っている側の溝開口縁部は、溝開口縁部２０ａに対応している。
したがって、第２実施形態の電極溝２０を電極の円筒部１２の外周に形成した真空バルブ１は、電極溝２０の溝開口縁部２０ａにおける電界集中が緩和されてアークスポット１７が電極溝２０に短時間で流れ込むのでアーク１８の消滅時間を短縮することができ、アーク１８の遮断性をさらに向上させることができる。
【００２２】
次に、図７（ａ）に示す第３実施形態の電極溝２１は、アークスポット１７が流れ込む側の溝開口縁部２１ａが、丸みを付けて外側に突出する形状として形成されている。
丸みを付けて外側に突出する形状の溝開口縁部２１ａは、第１及び第２の電極溝１５，２０の角部で形成した溝開口縁部１５ａ，２０ａと比較して電界集中が緩和され、電極溝２１にアークスポット１７がすぐに流れ込みやすくなる。
そして、図７（ｂ）に示すように、アークスポット１７が電極溝２１に流れ込み、アーク１８が溝開口縁部２１ａに接触すると、アークスポット１７と溝開口縁部２１ａとの間が同電位となるので、アーク１８はアーク電圧を維持できずに消滅する。
【００２３】
なお、本発明に記載されている接点板に寄っている側の溝開口縁部は、溝開口縁部２１ａに対応している。
したがって、第３実施形態の電極溝２１を電極の円筒部１２の外周に形成した真空バルブ１は、電極溝２１の溝開口縁部２１ａにおける電界集中がさらに緩和されるので、アークスポット１７が電極溝２１に短時間で流れ込む。これにより、アーク１８の消滅時間を短縮し、アーク１８の遮断性をさらに向上させることができる。
【００２４】
さらに、図８（ａ）に示す第４実施形態の電極溝２２は、アークスポット１７が流れ込む側の溝開口縁部２２ａを外側に丸みを付けて突出する形状としている。この溝開口縁部２２ａは、第３実施形態の電極溝２１の溝開口縁部２１ａと比較して曲率半径を大きくして形成されている。
第３実施形態の電極溝２１の溝開口縁部２１ａより曲率半径が大きい第４実施形態の電極溝２２の溝開口縁部２２ａは電界集中がさらに緩和されるので、電極溝２２にアークスポット１７がすぐに流れ込みやすくなる。
【００２５】
そして、図８（ｂ）に示すように、アークスポット１７が電極溝２２に流れ込み、アーク１８が溝開口縁部２２ａに接触すると、アークスポット１７と溝開口縁部２２ａとの間が同電位となるので、アーク１８はアーク電圧を維持できずに消滅する。
なお、本発明に記載されている接点板に寄っている側の溝開口縁部は、溝開口縁部２２ａに対応している。
したがって、第４実施形態の電極溝２２を電極の円筒部１２の外周に形成した真空バルブ１は、電極溝２２の溝開口縁部２２ａにおける電界集中がさらに緩和され、アーク１８の消滅時間が短縮される。これにより、アーク１８の遮断性を大幅に向上させることができる。
【符号の説明】
【００２６】
１  真空バルブ
２  真空絶縁容器
３  固定側封着金具
４  可動側封着金具
５  固定側通電軸
６  固定側接点部
７  可動側接点部
８  可動側通電軸
９  ベローズ
１０  電極
１１  接点板
１２  円筒部
１３  底部
１４  電極スリット
１５  電極溝
１５ａ，１５ｂ  溝開口縁部
１６  接点スリット
１７  アークスポット
１８  アーク
２０  電極溝
２０ａ  溝開口縁部
２１  電極溝
２１ａ  溝開口縁部
２２  電極溝
２２ａ  溝開口縁部
【図１】
2019079705.tif 000003
【図２】
2019079705.tif 000004
【図３】
2019079705.tif 000005
【図４】
2019079705.tif 000006
【図５】
2019079705.tif 000007
【図６】
2019079705.tif 000008
【図７】
2019079705.tif 000009
【図８】
2019079705.tif 000010